(57)【要約】【課題】  河川等において護岸や床固めの機能を発揮できると同時に、設置される場所や生育する水中動物の種類等に応じて、多種多様な空間を現場にて臨機応変に形成して水中動物にとって好適なハビタットを確実且つ容易に形成し、生態系を復元することができる水中生態系復元ブロック及びその設置構造を提供すること。【解決手段】  正方形、長方形、正六角形のいずれかの平面視形状を有する上板と、該上板の下部に一体に設けられた複数の脚とから構成され、前記脚は前記上板の隣り合う２つの角部を繋ぐ辺の下方に壁状に設けられた１つの壁状脚と、前記上板の残りの角部の下方に夫々独立して設けられた複数の独立脚とからなり、前記上板には少なくとも１つの貫通孔が設けられてなる水中生態系復元ブロックを設置する。【選択図】  図１
2006037641.tif 000002
【特許請求の範囲】
【請求項１】
正方形、長方形、正六角形のいずれかの平面視形状を有する上板と、該上板の下部に一体に設けられた複数の脚とから構成され、前記脚は前記上板の隣り合う２つの角部を繋ぐ辺の下方に壁状に設けられた１つの壁状脚と、前記上板の残りの角部の下方に夫々独立して設けられた複数の独立脚とからなり、前記上板には少なくとも１つの貫通孔が設けられてなることを特徴とする水中生態系復元ブロック。
【請求項２】
前記壁状脚に貫通孔が設けられてなることを特徴とする請求項１記載の水中生態系復元ブロック。
【請求項３】
前記独立脚に貫通孔が設けられてなることを特徴とする請求項１又は２記載の水中生態系復元ブロック。
【請求項４】
前記上板の上面に植石が設けられてなることを特徴とする請求項１乃至３いずれかに記載の水中生態系復元ブロック。
【請求項５】
前記脚の高さが上板の厚さの２倍以上とされてなることを特徴とする請求項１乃至４いずれかに記載の水中生態系復元ブロック。
【請求項６】
前記上板の隣り合う脚の間における少なくとも一辺の縁部が切り欠かれてなることを特徴とする請求項１乃至５いずれかに記載の水中生態系復元ブロック。
【請求項７】
請求項１乃至６いずれかに記載のブロックを複数個並べて河川等の水中に設置してなることを特徴とする水中生態系復元ブロックの設置構造。
【請求項８】
前記ブロックがコンクリート上に設置されてなることを特徴とする請求項７記載の水中生態系復元ブロックの設置構造。
【請求項９】
前記コンクリートが、ブロックの設置後に上板の貫通孔から流し込まれた現場打ちコンクリートからなることを特徴とする請求項８記載の水中生態系復元ブロックの設置構造。
【請求項１０】
前記コンクリートがプレキャストコンクリート板からなり、該コンクリート板には鉄筋が上面に露出するように埋設されてなるとともに、該上面に露出した鉄筋がブロックの設置後に上板の貫通孔から流し込まれた現場打ちコンクリートと一体化されてなることを特徴とする請求項８記載の水中生態系復元ブロックの設置構造。
【請求項１１】
複数のブロックがブロック１個分の隙間を空けて独立脚同士が向かい合うように並べて配置され、これらのブロックの脚同士が鉄筋と現場打ちコンクリートの打設によって一体化されてなることを特徴とする請求項８記載の水中生態系復元ブロックの設置構造。
【請求項１２】
請求項５記載のブロックを複数個並べて河川等の水中に設置してなる設置構造であって、これら複数のブロックは、脚を下にして設置されたブロックと、脚を上にして逆さまに設置されたブロックとからなり、これらのブロックが独立脚同士が隣り合うように並べて配置されてなることを特徴とする水中生態系復元ブロックの設置構造。
【請求項１３】
前記ブロックが正方形の平面視形状を有する上板を備えたブロックからなり、複数のブロックの壁状脚が、水流方向と略平行方向に直線状に連続するように配置されることにより形成された直線状空間を有してなることを特徴とする請求項７記載の水中生態系復元ブロックの設置構造。
【請求項１４】
前記ブロックが正方形の平面視形状を有する上板を備えたブロックからなり、２つのブロックの壁状脚をＬ字又は逆Ｌ字状に連ねて配置した直角壁部が形成され、該直角壁部は一方の壁状脚が水流方向に略直角に配置されることで右方又は左方への水流の方向転換を導くとともに、右方への方向転換を導く直角壁部と左方への方向転換を導く直角壁部が水流方向に沿って交互に配置されることにより形成された蛇行空間を有してなることを特徴とする請求項７記載の水中生態系復元ブロックの設置構造。
【請求項１５】
前記ブロックが、正方形の平面視形状を有する上板を備えたブロックからなり、４つのブロックの壁状脚により囲まれた閉鎖空間を有することを特徴とする請求項７記載の水中生態系復元ブロックの設置構造。
【請求項１６】
前記直線状空間、蛇行空間、閉鎖空間の少なくとも２つ以上が形成されるようにブロックが並べられてなることを特徴とする請求項１３乃至１５いずれかに記載の水中生態系復元ブロックの設置構造。
【請求項１７】
前記ブロックが正六角形の平面視形状を有する上板を備えたブロックからなり、３つのブロックの角部が近接する角合部が、３つの独立脚が近接する部分と、２つの独立脚と１つの壁状脚が近接する部分と、１つの独立脚と２つの壁状脚が近接する部分と、３つの壁状脚が近接する部分のうちの少なくとも３以上の部分を有してなることを特徴とする請求項７記載の水中生態系復元ブロックの設置構造。
【請求項１８】
６つのブロックの壁状脚により囲まれた閉鎖空間を有することを特徴とする請求項１７記載の水中生態系復元ブロックの設置構造。
【請求項１９】
複数のブロックが河川の幅方向において段差を付けて設置されてなるとともに、段差が付けられた隣り合うブロックは壁状脚同士が近接するように配置されてなることを特徴とする請求項７乃至１８いずれかに記載の水中生態系復元ブロックの設置構造。
【請求項２０】
水流方向に並べられた複数のブロックのうちの少なくとも１つのブロックが他のブロックよりも高く又は低くなるように設置されてなることを特徴とする請求項７乃至１９いずれかに記載の水中生態系復元ブロックの設置構造。
【請求項２１】
前記ブロックが長方形の平面視形状を有する上板を備えたブロックからなり、複数のブロックの壁状脚が、水流方向と略平行方向に配置されてなることを特徴とする請求項７記載の水中生態系復元ブロックの設置構造。
【請求項２２】
前記ブロックが長方形の平面視形状を有する上板を備えたブロックからなり、複数のブロックが平面視において布積み状に配置されるとともに、壁状脚が水流方向と略直角方向に配置されてなることを特徴とする請求項７記載の水中生態系復元ブロックの設置構造。
【請求項２３】
前記ブロックが長方形の平面視形状を有する上板を備えたブロックからなり、複数のブロックが平面視において谷積み状に配置されてなることを特徴とする請求項７記載の水中生態系復元ブロックの設置構造。
【請求項２４】
正方形の平面視形状を有する上板を備えたブロックと、該正方形の辺と同じ長さの短辺と略２倍の長さの長辺を有する長方形の平面視形状を有する上板を備えたブロックとが組み合わされて設置されてなることを特徴とする請求項７記載の水中生態系復元ブロックの設置構造。
【請求項２５】
隣り合うブロックの壁状脚同士が近接するように配置され、該壁状脚の貫通孔に鉄筋が挿通されることにより隣り合うブロック同士が連結された後に、該鉄筋を覆うように上板の貫通孔から現場打ちコンクリートが流し込まれて固化されてなることを特徴とする請求項９記載の水中生態系復元ブロックの設置構造。
【請求項２６】
前記ブロックが、平面視において円弧状に間隔をあけて並べられていることを特徴とする請求項７記載の水中生態系復元ブロックの設置構造。
【請求項２７】
ブロックの独立脚の間を塞ぐための壁板を有し、該壁板は独立脚同士が隣り合うように並べて配置されたブロック同士の間に介在されてなるとともに、貫通孔を有していることを特徴とする請求項７記載の水中生態系復元ブロックの設置構造。
【発明の詳細な説明】
【技術分野】
【０００１】
本発明は、河川、湖、沼、池、海等に設置されることで水中の生態系を復元することができる水中生態系復元ブロック及びその設置構造に関する。
【背景技術】
【０００２】
従来、我が国においては、専ら治水と利水を目的とした川づくりがすすめられてきた。
しかし、このような目的で行われた川づくりは、河川環境の保全という理念を全く欠いたものであったため、古来より長い年月をかけて河川が育んできたハビタット（生物の生育・生息場所）を壊して既存の生態系を破壊し、河川に生育していた水中動物を絶滅に至らしめることも多かった。
例えば、河川の直線化は瀬や渕の消滅を引き起こし、コンクリートによる護岸や護床は水中動物の住処や餌場を無くし、床止め（落差工）は魚類の遡上を妨げるという弊害を招来していた。
【０００３】
このような実情から、近年においては、河川の治水や利水を行うに際して、自然環境の保全や復元が大いに考慮されるようになってきており、自然環境の保全に考慮した河川設置用ブロックも多数創出されている。
自然環境の保全を考慮した河川設置用ブロックとしては、例えば下記特許文献１に開示された護床根固めブロックが存在している。
【０００４】
【特許文献１】特開２００３−２６１９１９号公報
【０００５】
この特許文献１に開示されたブロックは、河床に設置した際にブロック同士の間に形成される隙間を水中動物の生息空間としようとするものである。
しかしながら、このブロックに代表されるような従来の河川等の水中に設置されるブロックはその殆どが対称形状に形成されているため、並べた際に形成される空間のバリエーションが非常に乏しく画一的なものとなり、河川等の状況や生育する水中動物の種類等に応じて、多種多様な空間を現場にて臨機応変に形成して水中動物にとって好適なハビタットを確実且つ容易に形成することはできなかった。
【発明の開示】
【発明が解決しようとする課題】
【０００６】
本発明は上記従来技術の問題点に鑑みてなされたものであって、河川等において護岸や床固めの機能を発揮できると同時に、設置される場所や生育する水中動物の種類等に応じて、多種多様な空間を現場にて臨機応変に形成して水中動物にとって好適なハビタットを確実且つ容易に形成し、生態系を復元・保護することができる水中生態系復元ブロック及びその設置構造を提供せんとするものである。
【課題を解決するための手段】
【０００７】
請求項１に係る発明は、正方形、長方形、正六角形のいずれかの平面視形状を有する上板と、該上板の下部に一体に設けられた複数の脚とから構成され、前記脚は前記上板の隣り合う２つの角部を繋ぐ辺の下方に壁状に設けられた１つの壁状脚と、前記上板の残りの角部の下方に夫々独立して設けられた複数の独立脚とからなり、前記上板には少なくとも１つの貫通孔が設けられてなることを特徴とする水中生態系復元ブロックに関する。
請求項２に係る発明は、前記壁状脚に貫通孔が設けられてなることを特徴とする請求項１記載の水中生態系復元ブロックに関する。
請求項３に係る発明は、前記独立脚に貫通孔が設けられてなることを特徴とする請求項１又は２記載の水中生態系復元ブロックに関する。
請求項４に係る発明は、前記上板の上面に植石が設けられてなることを特徴とする請求項１乃至３いずれかに記載の水中生態系復元ブロックに関する。
請求項５に係る発明は、前記脚の高さが上板の厚さの２倍以上とされてなることを特徴とする請求項１乃至４いずれかに記載の水中生態系復元ブロックに関する。
請求項６に係る発明は、前記上板の隣り合う脚の間における少なくとも一辺の縁部が切り欠かれてなることを特徴とする請求項１乃至５いずれかに記載の水中生態系復元ブロックに関する
【０００８】
請求項７に係る発明は、請求項１乃至６いずれかに記載のブロックを複数個並べて河川等の水中に設置してなることを特徴とする水中生態系復元ブロックの設置構造に関する。
請求項８に係る発明は、前記ブロックがコンクリート上に設置されてなることを特徴とする請求項７記載の水中生態系復元ブロックの設置構造に関する。
請求項９に係る発明は、前記コンクリートが、ブロックの設置後に上板の貫通孔から流し込まれた現場打ちコンクリートからなることを特徴とする請求項８記載の水中生態系復元ブロックの設置構造に関する。
請求項１０に係る発明は、前記コンクリートがプレキャストコンクリート板からなり、該コンクリート板には鉄筋が上面に露出するように埋設されてなるとともに、該上面に露出した鉄筋がブロックの設置後に上板の貫通孔から流し込まれた現場打ちコンクリートと一体化されてなることを特徴とする請求項８記載の水中生態系復元ブロックの設置構造に関する。
請求項１１に係る発明は、複数のブロックがブロック１個分の隙間を空けて独立脚同士が向かい合うように並べて配置され、これらのブロックの脚同士が鉄筋と現場打ちコンクリートの打設によって一体化されてなることを特徴とする請求項８記載の水中生態系復元ブロックの設置構造に関する。
【０００９】
請求項１２に係る発明は、請求項５記載のブロックを複数個並べて河川等の水中に設置してなる設置構造であって、これら複数のブロックは、脚を下にして設置されたブロックと、脚を上にして逆さまに設置されたブロックとからなり、これらのブロックが独立脚同士が隣り合うように並べて配置されてなることを特徴とする水中生態系復元ブロックの設置構造に関する。
請求項１３に係る発明は、前記ブロックが正方形の平面視形状を有する上板を備えたブロックからなり、複数のブロックの壁状脚が、水流方向と略平行方向に直線状に連続するように配置されることにより形成された直線状空間を有してなることを特徴とする請求項７記載の水中生態系復元ブロックの設置構造に関する。
請求項１４に係る発明は、前記ブロックが正方形の平面視形状を有する上板を備えたブロックからなり、２つのブロックの壁状脚をＬ字又は逆Ｌ字状に連ねて配置した直角壁部が形成され、該直角壁部は一方の壁状脚が水流方向に略直角に配置されることで右方又は左方への水流の方向転換を導くとともに、右方への方向転換を導く直角壁部と左方への方向転換を導く直角壁部が水流方向に沿って交互に配置されることにより形成された蛇行空間を有してなることを特徴とする請求項７記載の水中生態系復元ブロックの設置構造に関する。
請求項１５に係る発明は、前記ブロックが、正方形の平面視形状を有する上板を備えたブロックからなり、４つのブロックの壁状脚により囲まれた閉鎖空間を有することを特徴とする請求項７記載の水中生態系復元ブロックの設置構造に関する。
請求項１６に係る発明は、前記直線状空間、蛇行空間、閉鎖空間の少なくとも２つ以上が形成されるようにブロックが並べられてなることを特徴とする請求項１３乃至１５いずれかに記載の水中生態系復元ブロックの設置構造に関する。
【００１０】
請求項１７に係る発明は、前記ブロックが正六角形の平面視形状を有する上板を備えたブロックからなり、３つのブロックの角部が近接する角合部が、３つの独立脚が近接する部分と、２つの独立脚と１つの壁状脚が近接する部分と、１つの独立脚と２つの壁状脚が近接する部分と、３つの壁状脚が近接する部分のうちの少なくとも３以上の部分を有してなることを特徴とする請求項７記載の水中生態系復元ブロックの設置構造に関する。
請求項１８に係る発明は、６つのブロックの壁状脚により囲まれた閉鎖空間を有することを特徴とする請求項１４記載の水中生態系復元ブロックの設置構造に関する。
請求項１９に係る発明は、複数のブロックが河川の幅方向において段差を付けて設置されてなるとともに、段差が付けられた隣り合うブロックは壁状脚同士が近接するように配置されてなることを特徴とする請求項７乃至１８いずれかに記載の水中生態系復元ブロックの設置構造に関する。
【００１１】
請求項２０に係る発明は、水流方向に並べられた複数のブロックのうちの少なくとも１つのブロックが他のブロックよりも高く又は低くなるように設置されてなることを特徴とする請求項７乃至１９いずれかに記載の水中生態系復元ブロックの設置構造に関する。
請求項２１に係る発明は、前記ブロックが長方形の平面視形状を有する上板を備えたブロックからなり、複数のブロックの壁状脚が、水流方向と略平行方向に配置されてなることを特徴とする請求項７記載の水中生態系復元ブロックの設置構造に関する。
請求項２２に係る発明は、前記ブロックが長方形の平面視形状を有する上板を備えたブロックからなり、複数のブロックが平面視において布積み状に配置されるとともに、壁状脚が水流方向と略直角方向に配置されてなることを特徴とする請求項７記載の水中生態系復元ブロックの設置構造に関する。
請求項２３に係る発明は、前記ブロックが長方形の平面視形状を有する上板を備えたブロックからなり、複数のブロックが平面視において谷積み状に配置されてなることを特徴とする請求項７記載の水中生態系復元ブロックの設置構造に関する。
【００１２】
請求項２４に係る発明は、正方形の平面視形状を有する上板を備えたブロックと、該正方形の辺と同じ長さの短辺と略２倍の長さの長辺を有する長方形の平面視形状を有する上板を備えたブロックとが組み合わされて設置されてなることを特徴とする請求項７記載の水中生態系復元ブロックの設置構造に関する。
請求項２５に係る発明は、隣り合うブロックの壁状脚同士が近接するように配置され、該壁状脚の貫通孔に鉄筋が挿通されることにより隣り合うブロック同士が連結された後に、該鉄筋を覆うように上板の貫通孔から現場打ちコンクリートが流し込まれて固化されてなることを特徴とする請求項９記載の水中生態系復元ブロックの設置構造に関する。
請求項２６に係る発明は、前記ブロックが、平面視において円弧状に間隔をあけて並べられていることを特徴とする請求項７記載の水中生態系復元ブロックの設置構造に関する。
請求項２７に係る発明は、ブロックの独立脚の間を塞ぐための壁板を有し、該壁板は独立脚同士が隣り合うように並べて配置されたブロック同士の間に介在されてなるとともに、貫通孔を有していることを特徴とする請求項７記載の水中生態系復元ブロックの設置構造に関する。
【発明の効果】
【００１３】
請求項１に係る発明によれば、河川等に設置することで護岸や床固めの機能を発揮できると同時に、上板が正方形、長方形、正六角形のいずれかの平面視形状であり且つ脚が１つの壁状脚と複数の独立脚からなることにより、夫々のブロックを任意の角度に回転させて隣接配置することができ、これにより上板の下方に多種多様な形状の空間を現場にて臨機応変に形成することができる。そして、ブロックの配置に応じて形成される空間の形状によって、空間内を流れる伏流水的な流れを、速い流れとしたり全く流れないようにしたりなど自在に変化させることができ、これにより空間内の堆積土砂の量を調節することもでき、河川等の水中において水中動物の生育に好適なハビタットを容易且つ確実に形成することが可能となり、生態系を復元・保護することができる。また、上板に設けられた貫通孔は、魚等の水中動物が空間へ出入りするための出入孔、植物の生育用孔、牡蠣殻、木炭、竹炭などの水質浄化物質の投入孔などとして用いることができるとともに、水流が上方へと抜ける通路となり、ブロックに加わる揚圧力を軽減することができる。
請求項２及び３に係る発明によれば、脚に設けられた貫通孔がブラックバス等の大型魚に追いかけられた小魚等が逃げ込むための入口となり小魚等の小動物を保護することができるとともに、貫通孔に鉄筋を通してブロック同士を容易に連結することができる。
請求項４に係る発明によれば、上板に設けられた植石に水苔が生えることによって河川に鮎などの餌場が生み出される。
請求項５に係る発明によれば、正立させたブロックと倒立させたブロックとを並べて配置した際に、隣り合う上板同士の間に隙間を生じさせることが可能となり、更に多くの空間形状のバリエーションをつくりだすことができる。
【００１４】
請求項６に係る発明によれば、上板の下方に形成される空間に堆積する土砂等を、上板に形成された切欠部から流出させることができ、空間が土砂で埋まることを防ぐことができる。また、切欠部は水中動物が空間へと出入りするための出入口ともなる。
請求項７に係る発明によれば、壁状脚の配置を適宜変更するだけで上板の下方空間の形状を多様に変化させることができる。そして、空間形状の変化によって空間内の流速を変化させることができ、これによって空間内に粒径の異なる土砂が堆積するので、河川等の状況や生育する水中動物の種類等に応じた、水中動物にとって好適なハビタットを確実且つ容易に形成し、生態系を復元することができる。
請求項８に係る発明によれば、河床の不等沈下や洗掘によってブロックが傾いたり転倒するのが防がれる。
請求項９に係る発明によれば、ブロックの傾きや転倒を防止することができるとともに、現場で自由にブロックの高さを調節できるメリットがある。
請求項１０に係る発明によれば、河床の不等沈下や洗掘によってブロックが傾いたり転倒するのが防がれるとともに、鉄筋が現場打ちコンクリートと一体化されることで、ブロックの安定度を非常に高めることが可能となる。
請求項１１に係る発明によれば、ブロック同士が強固に連結された構造となり、洪水時にも流出しないようになるとともに、空間内に堆積した砂利等が増水時に独立脚の間から吸い出され、更には上板に設けられた貫通孔から魚等が空間へと出入りすることができる。
【００１５】
請求項１２に係る発明によれば、隣り合う上板同士の間に隙間が生じるので、正立状態のブロック同士を並べたときよりも更に多くの空間形状のバリエーションをつくりだすことができる。また、正立状態のブロックの空間に堆積した土砂等を、年に数回程度起こる増水時に独立脚と独立脚の間から流出させることが可能となる。
請求項１３に係る発明によれば、上板の下方に形成される空間内に速い流れのエリアをつくりだすことができる。
請求項１４に係る発明によれば、上板の下方に形成される空間内において、河川の流れとは別に水流を蛇行させることができ、流れが遅くて魚が遡上するための魚道として好適なエリアをつくりだすことができる。
請求項１５に係る発明によれば、上板の下方に形成される空間内において、河川の流れとは別に、水流の影響を殆ど受けず、水中動物の住処や植物の育成空間として好適なエリアをつくりだすことができる。
請求項１６及び１７に係る発明によれば、上板の下方に形成される空間内に、河川の流れとは別に多様な流れをつくりだすことができ、例えば、河川の上流域、中流域、下流域に分けて空間内に異なる流れを設定して、各流域に生育する水中動物の種類に合わせたハビタットを形成することができる。従って、河川に多様な動植物が育まれ、流域全体にわたって生態系の保護及び復元を図ることができる。
【００１６】
請求項１８に係る発明によれば、上板の下方に形成される空間内に、水流の影響を殆ど受けず、水中動物の住処や植物の育成空間として好適なエリアをつくりだすことができる。
請求項１９に係る発明によれば、河川の横断面において、川幅両端部を高くすることで川辺で水辺植物の生育が可能となる。また、脚に形成された貫通孔を栓で塞ぐことによって水路化することもできる。
請求項２０に係る発明によれば、洪水時における流下速度を遅くする効果が得られるとともに、変化に富んだ凹凸が水流に緩急を生み出して生態系にも好影響を与える。また、乱流の発生により、貫通孔から水が渦をまいて入るので、空間内を清浄に保つことができる。
【００１７】
請求項２１に係る発明によれば、上板の下方に形成される空間内に速い流れをつくりだすことができる。
請求項２２に係る発明によれば、河川の流れとは別に、上板の下方に形成される空間内に大きく蛇行した緩やかな流れをつくりだすことができる。
請求項２３に係る発明によれば、上板の下方に形成される空間内に、上板の下方に形成される空間内に緩やかに蛇行した比較的早い流れをつくりだすことができる。
【００１８】
請求項２４に係る発明によれば、正方形状のブロックと長方形状のブロックを混在させて並べて設置することが可能となり、単一形状のブロックを使用する場合に比べて、更にバリエーションに富んだ空間と流れをつくりだすことができ、生態系にとってより好適なものとなる。
請求項２５に係る発明によれば、ブロック同士を確実且つ強固に連結することができるとともに、ブロックの重量を増して流出を防ぐことができ、最初から大きなブロックを製作するよりも安価に大重量のブロックを得ることができる。
請求項２６に係る発明によれば、水の流れが一箇所に集まることで河床が深くえぐられるので、河川の流れの任意の場所に生態系にとって好適な小さな渕を形成することができる。
請求項２７に係る発明によれば、壁板によって大きな魚が独立脚の間から空間内に侵入することが防がれるので、稚魚や小魚等が大きい魚から食されるのを防いで保護することが可能となる。
【発明を実施するための最良の形態】
【００１９】
以下、本発明に係る水中生態系復元ブロック及びその設置構造の好適な実施形態について、図面を参照しつつ説明する。
図１乃至図３はそれぞれ本発明に係る水中生態系復元ブロックの第一乃至第三実施形態を示す図であって、（ａ）は表面斜視図、（ｂ）は裏面斜視図である。
本発明に係るブロック（１）は、平面視正方形状の上板（２）と、この上板（２）の下部に一体に設けられた脚（３）から構成されており、脚（３）は上板（２）に対して垂直となっている。
【００２０】
図１に示す第一実施形態のブロックでは、上板（２）は平面視正方形状に形成されている。
上板（２）の平面視形状を正方形状としているのは、複数のブロックを規則的に並べて配置する際に、夫々のブロックを任意の向きに回転させて配置することを可能とするためである。即ち、正方形のブロックによれば、水の流れと壁状脚との関係において、０°、９０°、１８０°、２７０°の４つの異なる向きに回転させて配置することができる。
脚（３）は、上板（２）の隣り合う２つの角部を繋ぐ辺に沿ってその下方に壁状に設けられた１つの壁状脚（３ａ）と、上板（２）の残りの２つの角部の下方に夫々独立して設けられた２つの独立脚（３ｂ）から構成されており、このように、４つの角部の下方に夫々脚があることによって、安定して自立することができる。
また、上板（２）の下方にはこれら３本の脚により囲まれる空間（４）が形成され、水流や水中動物は、２本の独立脚（３ｂ）の間又は壁状脚（３ａ）と独立脚（３ｂ）の間を通ってこの空間（４）へと出入りすることができる。
【００２１】
図２に示す第二実施形態のブロックでは、上板（２）は平面視正六角形状に形成されている。
上板（２）の平面視形状を正六角形状としているのは、複数のブロックを規則的に並べて配置する際に、夫々のブロックを任意の向きに回転させて配置することを可能とするためである。即ち、正六角形のブロックによれば、水の流れと壁状脚との関係において、０°、６０°、１２０°、１８０°、２４０°、３００°の６つの異なる向きに回転させて配置することができる。
脚（３）は、上板（２）の隣り合う２つの角部を繋ぐ辺に沿ってその下方に壁状に設けられた１つの壁状脚（３ａ）と、上板（２）の残りの４つの角部の下方に夫々独立して設けられた４つの独立脚（３ｂ）から構成されており、このように、６つの角部の下方に夫々脚があることによって、安定して自立することができる。
また、上板（２）の下方にはこれら５本の脚により囲まれる空間（４）が形成され、水流や水中動物は、隣り合う２本の独立脚（３ｂ）の間又は壁状脚（３ａ）と独立脚（３ｂ）の間を通ってこの空間（４）へと出入りすることができる。
【００２２】
図３に示す第三実施形態のブロックでは、上板（２）は平面視長方形状に形成されている。
上板（２）の平面視形状を長方形状としているのは、複数のブロックを規則的に並べて配置する際に、夫々のブロックを任意の向きに回転させて配置することを可能とするためである。即ち、長方形のブロックによれば、水の流れと壁状脚との関係において、０°、９０°、１８０°、２７０°の４つの異なる向きに回転させて配置することができる。
本発明においては、後述する如く、第一実施形態の正方形状のブロックとこの第二実施形態の長方形状のブロックを混在させて設置する場合があり、このときにブロック同士を規則的に並べることができるように、長方形の長辺の長さを短辺の長さの略２倍の長さに設定し、短辺の長さを第一実施形態のブロックの上板の一辺と等しくすることが好ましい。
脚（３）は、上板（２）の隣り合う２つの角部を繋ぐ辺に沿ってその下方に壁状に設けられた１つの壁状脚（３ａ）と、上板（２）の残りの２つの角部の下方に夫々独立して設けられた３つの独立脚（３ｂ）と、長辺の中央の下方に独立して設けられた１つの独立脚（３ｂ）から構成されており、このように、４つの角部の下方と長辺の中央に夫々脚があることによって、安定して自立することができる。尚、この第三実施形態では、中央の独立脚（３ｂ）を省略して、独立脚（３ｂ）を２本とすることもできる。
また、上板（２）の下方にはこれら３本又は４本の脚により囲まれる空間（４）が形成され、水流や水中動物は、隣り合う独立脚（３ｂ）の間又は壁状脚（３ａ）と独立脚（３ｂ）の間を通ってこの空間（４）へと出入りすることができる。
【００２３】
上記第一乃至第三実施形態のブロックは、壁状脚（３ａ）に複数の貫通孔（５）が形成されている。
空間（４）は、多様な水中生物の住処となり食物連鎖の舞台となるが、壁状脚（３ａ）の貫通孔（５）はブラックバス等の大型魚に追いかけられた小魚が逃げ込むための入口となる。そのため、この貫通孔（５）の大きさは、５〜１０ｃｍ程度の小さな径とすることが好ましい。尚、このような貫通孔（５）はパイプ（図中に二重丸で示されている）を埋め込むことにより形成することもできる。
また、独立脚（３ｂ）にも同様の貫通孔（１５）を形成することが可能である。独立脚（３ｂ）に設けられた貫通孔（１５）は、隣り合うブロック同士を鉄筋等で連結するために好適に用いられる。尚、壁状脚（３ａ）の貫通孔（５）を鉄筋連結用の穴として用いることも可能である。
【００２４】
また、上板（２）にも貫通孔（６）が設けられている。この貫通孔（６）は図示例では１つ設けられているが、２つ以上設けることも可能である。この場合、各貫通孔の大きさを異ならせることもできる。
この貫通孔（６）は、魚等の水中動物が空間（４）へ出入りするための出入孔、植物の生育用孔、牡蠣殻・木炭・竹炭などの水質浄化物質の投入孔などとして用いられる。また、水流がこの貫通孔（６）から上方へと抜けることで、ブロックに加わる揚圧力を軽減することができる。
また、少なくとも人の手が入るだけの大きさの貫通孔（６）を設けると、後述するブロック同士の鉄筋による連結作業を容易に行うことが可能となるため好ましい。
【００２５】
更に、上板（２）の表面には、植石（７）が突出して設けられており、このように設けられた植石（７）には鮎などの餌となる水苔が生える。
植石（７）は、河川にある天然石をそのまま上板（２）に埋め込んでもよいが、石の上部を切断もしくは研磨して平らにして埋め込むことが好ましい。
これは、天然石をそのまま埋め込むと、天然石が上方に大きく突出するので、増水時に流木や砂利が衝突して剥がれ落ちるおそれがあるためである。
更に、上板（２）の表面には吊り下げ用のフック（８）が設けられており、上端外縁部にはコンクリートの欠けを防止するための面取りが施されている。
【００２６】
また、上板（２）には、隣り合う脚（３）の間における辺の縁部を中心に向けて切り欠いた切欠部（１３）が形成されている。この切欠部（１３）は、図示例では１辺のみに形成されているが、２辺以上に形成することも可能である。
このような切欠部（１３）を設けることにより、複数のブロックを隣接して配置したときに、切欠部（１３）から空間（４）に堆積する土砂等を流出させることができ、空間が土砂で埋まることを防ぐことができる。また、水中動物が空間（４）へと出入りするための出入口ともなる。
【００２７】
脚（３）の高さは、上板（２）の厚さの２倍以上とすることが好ましい。
これは、後述する如く、正立させたブロックと倒立させたブロックとを並べて配置した場合、隣り合う上板（２）同士の間に隙間を生じさせることが可能となるためである。
また、倒立させたブロックの上には、後述する如く、川原の天然石を採取して載置することができる。天然石はブロックの流失を防ぐ重しの役割をするとともに、天然石同士に形成される隙間が生態系にとって好適な環境を生み出す。
【００２８】
上記した本発明に係るブロックはコンクリートから形成され、内部に鉄筋を入れた鉄筋コンクリートとすることが好ましい。使用されるコンクリートは普通のコンクリートでもよいし、全体又は一部にポーラスコンクリートを使用することもできる。また、コンクリート殻を再利用したリサイクル製品でもよい。また、工場でつくられる２次製品でもよいし、現場にて型枠を用いて打設・養生して製造してもよい。
尚、いずれの場合でも、ブロックは流失しない程度の重量（数トン程度）とされる。
【００２９】
以下、本発明に係る水中生態系復元ブロックの設置構造について説明する。
本発明に係る設置構造は、上記説明した形態のブロック（１）を複数個並べて河川等の水中に設置することにより構成される。尚、図４乃至図１０中の実線矢印は、空間（４）内の水の流れを示している。
図４は第一実施形態のブロックを並べて設置した状態の一例を示す平面図である。
尚、図の理解を容易にするために、図４乃至図１０において、上板に設けられた貫通孔（６）の図示を省略し、脚（３）の外形を実線で描き、壁状脚（３ａ）にのみハッチングを施している。
【００３０】
図から分かるように、第一実施形態のブロックによれば、ブロック（１）を任意の角度に回転させて設置し、壁状脚（３ａ）の配置（位置及び向き）を変化させることによって、複数のブロックにより形成される空間（４）の形状を様々に変化させることが可能となる。空間（４）の形状により水流の方向や速度が決定され、魚等の水中動物の生態に大きな影響を与える。
【００３１】
符号（Ａ）で表わした左側２列のエリアは、２つのブロックが夫々備えた２つの独立脚（３ｂ）同士が互いに近接配置されているブロック対を有し、このような複数のブロック対が、壁状脚（３ａ）が水流方向と略平行方向に直線状に連続するように配置されることにより直線状空間が形成されたエリアである。
このエリアでは、壁状脚（３ａ）により水流が妨げられることがなく、壁状脚（３ａ）の間の空間（４）内に速い流れが形成される。
【００３２】
符号（Ｂ）で表わした中央２列のエリアは、２つのブロックの壁状脚（３ａ）をＬ字又は逆Ｌ字状に連ねて配置することにより直角壁部を形成し、この直角壁部の一方の壁状脚が河川の流れに略直角になるように配置することで右方又は左方への水流の方向転換を導くようにし、右方への方向転換を導く直角壁部と左方への方向転換を導く直角壁部を河川の流れ方向に沿って交互に配置することにより蛇行空間が形成されたエリアである。
このエリアでは、直角壁部により水流が蛇行させられるので流れが遅くなり、魚が遡上するための魚道として好適なものとなる。
【００３３】
符号（Ｃ）で表わしたエリアは、４つのブロックの壁状脚（３ａ）により囲まれた閉鎖空間が形成されたエリアである。
このように形成された閉鎖空間は、水流の影響を殆ど受けず、貫通孔（６）からのみ水流が進入する空間となり、水中動物の住処や植物の育成空間として好適なものとなる。
【００３４】
本発明に係る設置構造では、上記した直線状空間、蛇行空間、閉鎖空間を単独で或いは２以上を適当に組み合わせて設けることができる。また、４つのブロックの角が近接する角合部においては、４つの独立脚が近接する、３つの独立脚と１つの壁状脚が近接する、２つの独立脚と２つの壁状脚が近接する、１つの独立脚と３つの壁状脚が近接する、４つの壁状脚が近接する、という５つのパターンが考えられるが、本発明では、これらのパターンを２つ又は３つ、或いは４つ又は５つ組み合わせた配置とすることができる。
具体的には、第一実施形態の正方形ブロックで形成される空間形状のパターン数は、１つのブロックで４通り、２つのブロックでは４×４＝１６通り、３つのブロックでは４×４×４＝６４通り、４つのブロックでは４×４×４×４＝２５６通り、というようにブロックの数を増すごとに等比級数的に増えていくこととなる。
【００３５】
このように、並べた際に形成される空間形状のバリエーションが非常に多いので、河川等の状況や生育する水中動物の種類等に応じて、多種多様な空間を現場にて臨機応変に形成して、水中動物にとって最適なハビタットを確実且つ容易に形成することができる。
【００３６】
図５は第二実施形態のブロックを並べて設置した状態の一例を示す平面図である。
尚、図の理解を容易にするために、上板に設けられた貫通孔（６）の図示を省略し、脚（３）を実線で描いている。
図から分かるように、第二実施形態のブロックによっても、ブロック（１）を任意の角度に回転させて設置し、壁状脚（３ａ）の配置（位置及び向き）を変化させることによって、複数のブロックにより形成される空間（４）の形状を様々に変化させることが可能となる。空間（４）の形状により水流の方向が決定され、魚等の水中動物の生態に大きな影響を与える。
【００３７】
第二実施形態のブロックでは、３つのブロックの角部が近接する角合部においては、３つの独立脚が近接する、２つの独立脚と１つの壁状脚が近接する、１つの独立脚と２つの壁状脚が近接する、３つの壁状脚が近接する、という４つのパターンが考えられるが、本発明では、これらのパターンを２つ又は３つ、或いは４つ組み合わせた配置とすることができる。
また、６つのブロックの壁状部（３ｂ）によって囲まれた閉鎖空間（Ｃ）を形成することもでき、このように形成された閉鎖空間は、水流の影響を殆ど受けず、貫通孔（６）からのみ水流が進入する空間となり、水中動物の住処や植物の育成空間として好適なものとなる。
第二実施形態の正六角形ブロックで形成される空間形状のパターン数は、１つのブロックで６通り、２つのブロックでは６×６＝３６通り、３つのブロックでは６×６×６＝２１６通り、４つのブロックでは６×６×６×６＝１２９６通り、というようにブロックの数を増すごとに等比級数的に増えていくこととなり、並べた際に形成される空間形状のバリエーションは第一実施形態のブロックよりも更に多くなる。
【００３８】
図６乃至図８は、第三実施形態のブロックを並べて設置した状態の一例を示す平面図である。
尚、図の理解を容易にするために、上板に設けられた貫通孔（６）の図示を省略し、脚（３）を実線で描いている。
図６の例では、複数のブロックが平面視において布積み状に配置されており、壁状脚（３ａ）が水流方向と略直角方向に配置されている。この配置によれば、空間（４）内で大きく蛇行した緩やかな流れをつくりだすことができる。
図７の例では、平面視にて布積み状に配置された複数のブロックを９０°回転させた状態で配置されており、壁状脚（３ａ）が水流方向と略平行方向に配置されている。この配置によれば、空間（４）内で速い流れをつくりだすことができる。また、魚は図中に破線矢印で示すように、空間（４）内において独立脚（３ｂ）の間を通って左右方向の隣り合うブロックへと自由に移動することができる。
図８の例では、複数のブロックが平面視において谷積み状に配置されており、壁状脚（３ａ）が水流方向に対して斜め方向に配置されている。この配置によれば、空間（４）内で緩やかに蛇行した比較的早い流れをつくりだすことができる。
【００３９】
このように、第三実施形態のブロックによっても、ブロック（１）を任意の角度に回転させて設置し、壁状脚（３ａ）の配置（位置及び向き）を変化させることによって、複数のブロックにより形成される空間（４）の形状を様々に変化させることが可能となり、様々な水の流れ方向や流速を任意に設定することができる。
具体的には、形成される空間形状のパターン数は、第一実施形態のブロックと同様に、１つのブロックで４通り、２つのブロックでは４×４＝１６通り、３つのブロックでは４×４×４＝６４通り、４つのブロックでは４×４×４×４＝２５６通り、というようにブロックの数を増すごとに等比級数的に増えていくこととなる。
【００４０】
また、本発明においては、図９及び図１０に示すように、第一実施形態のブロックと第三実施形態のブロックとを混在させて組み合わせて設置することも可能である。この場合、第二実施形態のブロックの長方形の長辺を、第一実施形態のブロックの正方形の一辺の長さの略２倍、例えば２倍よりも僅かに長く形成し、第一実施形態のブロック同士の間に僅かな隙間が形成されるようにすることが好ましい。
このように正方形と長方形のブロックを混在させることで、壁状脚の向きのバリエーションが増すのでより複雑な水流をつくりだすことが可能となる。例えば、図９及び図１０に示すように長方形ブロックと正方形ブロックを混在させると、（Ｄ）→（Ｅ）→（Ｆ）（図９参照）、（Ｇ）→（Ｈ）（図１０参照）という水の流れがつくりだされ、長方形ブロックのみでは壁状脚の存在により妨げられる左右のブロック間での魚の行き来が可能となる。また、魚は図中に破線矢印で示すように、空間（４）内において独立脚（３ｂ）の間を通って左右方向の隣り合うブロックへと自由に移動することもできる。
また、重量のある長方形のブロックが軽量の正方形ブロックと組み合わせて設置されることで、ブロックの流出が防がれるという効果も得られる。
【００４１】
本発明に係る設置構造では、第一乃至第三実施形態のブロックを設置する際に、全てのブロックが脚を下にした正立状態で設置されていてもよいが、脚を上にして逆さまに倒立状態で設置されたブロックを混在させることも可能である。
図１１はこのような構成を採用した設置構造の一例であり、正立状態のブロックと倒立状態のブロックが並んで配置された河川の横断面を示している。
倒立させたブロックの上には、図中のＣのブロックに示すように、川原の天然石を採取して載置することができる。天然石はブロックの流失を防ぐ重しの役割をするとともに、天然石に水苔が着生したり、天然石同士に形成される隙間が魚の産卵場所や底生動物の住処となり、生態系にとって好適な環境を生み出す。
【００４２】
このとき、前述した如く、脚（３）の高さが上板（２）の厚さの２倍以上とされていると、隣り合う上板（２）同士の間に隙間を生じさせて、２つのブロック間を水流及び生物が通ることが可能となる。正立状態のブロックと倒立状態のブロックは壁状脚（３ａ）同士を隣り合わせてもよいし、壁状脚（３ａ）と独立脚（３ｂ）を隣り合わせてもよいし、独立脚（３ｂ）同士を隣り合わせてもよい。
図示例のように独立脚（３ｂ）同士を隣り合わせて配置すると、正立状態のブロックの空間に堆積した土砂等を、年に数回程度起こる増水時に独立脚と独立脚の間から流出させることが容易となり、空間内への土砂の堆積を防ぐことが可能となるため好ましい。
【００４３】
また、図１１の設置構造では、Ａ，ＢのエリアとＣ，Ｄのエリア、Ｃ，ＤのエリアとＥ，Ｆのエリアの間に段差が設けられている。段差の高さは、洪水時においても高位置のブロックが流出しない程度（例えば、ブロック高さの半分程度）とすればよい。
尚、段差の設け方はこれに限定されず、例えばＤとＥの間に段差を設けたり、ＤとＥの高さを逆にしたりする等、任意の段差の設け方とすることができる。また、各エリアのブロックの数は川幅に合わせて任意に設定することができる。
このようにすることで、川幅全体において段差（簡単な高水敷）ができ、例えばＡのエリアでは水辺植物の生育が可能となる。また、脚に形成された貫通孔を栓で塞ぐことによって水路化することもできる。
また、河川の縦断方向にも、浅い場所や深い場所（水辱池等）において適用することができる。
【００４４】
本発明に係る設置構造では、ブロックを河床面に設けられたコンクリート上に設置することが好ましい。
この場合、プレキャストコンクリート板の上に設置してもよいし、現場打ちコンクリートの上に設置してもよい。コンクリート上にブロックを設置することにより、河床の不等沈下や洗掘によってブロックが傾いたり転倒するのが防がれる。
プレキャストコンクリート板（１４）を用いる場合、図１２に示すように、上面にフック状の鉄筋（１０）が露出するように埋設された板を用いて、該上面に露出した鉄筋がブロックの設置後に上板（２）の貫通孔（６）から流し込まれた現場打ちコンクリート（１１）と一体化される構造とすると、河床の不等沈下や洗掘によってブロックが傾いたり転倒するのが防がれるとともに、鉄筋が現場打ちコンクリートと一体化されることで、ブロックの安定度を非常に高めることが可能となるため好ましい。
現場打ちコンクリートを用いる場合、図１１のＥのブロックに示すように、脚と脚の間の部分に現場打ちコンクリート（１１）を打設して河床と一体化することができる。この場合、ブロックの設置後に上板（２）の貫通孔（６）からコンクリートを流し込んでベースコンクリートを形成すればよい。
コンクリートを流し込むにあたっては、ブロック同士の間に鉄板や木板を挿入して脚に設けられた貫通孔を塞いでおくことが好ましい。
【００４５】
また、本発明においては、図１３に示すように、並べられた複数のブロックのうちの一部（１つ又は２つ以上）のブロックを他のブロックよりも高くして段差を形成することもできる。
このような段差形成は、例えば、河床面と脚との間にコンクリートを設けることにより行うことができる。コンクリートは、プレキャストコンクリート板を敷設してもよいし、図示の如く、コンクリートの小片（９）を脚の下に介在させた後に上板（２）の貫通孔（６）からコンクリート（１１）を流し込むことにより形成してもよい。現場打ちコンクリートを用いた場合、現場で自由にブロックの高さを調節できるメリットがある。
また逆に、並べられた複数のブロックのうちの一部（１つ又は２つ以上）のブロックを他のブロックよりも低くすることもできる。
上記したようなブロック間の段差は、並べられた複数のブロックのうちの一部（１つ又は２つ以上）のブロックの脚の長さを、他のブロックと異ならせることにより形成することも可能である。また、形成される段差の高さは、ブロックの上板（２）の厚さ程度とすることが好ましい。
このようなブロックの段差により、流れの減勢効果や洪水時における流下速度を遅くする効果が得られるとともに、変化に富んだ凹凸が水流に緩急を生み出して生態系にも好影響を与える。また、乱流の発生により、貫通孔（６）から水が渦をまいて入るので、空間（４）内に土砂が堆積しにくくなる。
【００４６】
また、本発明に係る設置構造では、隣り合うブロックの壁状脚（３ａ）同士が近接するように配置されている場合、図１４に示すように、壁状脚（３ａ）の貫通孔（５）に格子状の鉄筋（１０）を挿通することにより隣り合うブロック同士を連結した後、該鉄筋（１０）を覆うように上板（２）の貫通孔（６）から現場打ちコンクリート（１１）を流し込んで固化することによりブロック同士を確実且つ強固に連結することができる。
鉄筋（１０）の挿通に際しては、鉄筋（１０）は予め河床に置いておき、空間（４）内に鉄筋（１０）が位置するように、鉄筋（１０）の上から被せるようにブロック（１）を置き、貫通孔（６）から手を入れて貫通孔（５）へと差し込むことにより行われる。
尚、本発明のブロックでは上述した如く独立脚（３ｂ）にも貫通孔（１５）を設けることができるので、必要に応じて、独立脚同士もしくは壁状脚と独立脚とを同様の方法で連結することも可能である。
また、３つ以上のブロックを同様な方法で連結することもでき、縦横に組み合わされた鉄筋を用いて縦横方向にブロックを連結することも可能である。
このように複数のブロックを連結することにより、ブロックの重量を増して流出を防ぐことができ、最初から大きなブロックを製作するよりも安価に大重量のブロックを得ることができる。特に、流心直下においては、ブロックの流失が生じ易いので複数のブロックを連結することが好ましい。
【００４７】
図１５は本発明に係る設置構造の別の例を示す図である。
この例では、複数のブロック（１）が、ブロック１個分の隙間を空けて独立脚（３ｂ）同士が向かい合うように並べて配置されている。
この構造は、隣り合うブロックの独立脚（３ｂ）に形成された貫通孔（１５）と、壁状脚（３ａ）に形成された貫通孔（５）を貫くように鉄筋を配した後、上板（２）の貫通孔（６）から現場打ちコンクリート（１１）のベースを打設することによって形成される。これにより、隣り合うブロックは、鉄筋と現場打ちコンクリートによって強固に連結一体化され、洪水時にも流失しない構造となる。
また、空間（４）内に堆積した土砂は、増水時に図中に矢印で示すように独立脚（３ａ）の間から吸い出され、上板（２）の貫通孔（６）からの魚の出入りが可能となる。
尚、図示例では２つの隣り合うブロックを連結した様子を示したが、３つ以上のブロックを同様の方法で連結してもよい。
この設置構造は、例えば堰のかなり下方の根固め工などの砂利が堆積する場所に適用でき、空間（４）への水中動物の出入りを可能とすることで生態系にとってよい環境が生み出される。
また、従来のブロックは１個当たり１〜８トン程度もあり、型枠の設置、解体やブロックの吊り下げ機械等が大掛かりなものとなり、施工コストが高くついたが、本発明では現場打ちコンクリートベースを用いることで、安価に施工することができる。
【００４８】
図１６は本発明に係る設置構造の別の例を示す平面図である。
この例では、複数のブロック（１）が、平面視において円弧状に、ブロック１個程度の間隔をあけて並べられている。
このような配置でブロックを設置すると、図示の如く水の流れが一箇所に集まることで河床が深くえぐられるので、河川の流れの任意の場所に小さな渕（破線で示している）を形成することができ、生態系にとって好適なものとなる。
【００４９】
また、本発明に係る設置構造では、図１７に示す如く、ブロック同士の間隔を異ならせて設置することもできる。つまり、間隔の狭い部分と広い部分を人為的につくって並べることができる。また、ブロック同士の間にコンクリート板を嵌め入れて隙間を調節することもできる。
更に、独立脚（３ｂ）同士が隣り合う部分において、ブロック同士の間に大きな魚が通れない小径の貫通孔を有する鉄板やコンクリート板からなる壁板（１２）を配置し、この壁板（１２）によってブロック（１）の独立脚の間を塞ぐことにより、独立脚（３ｂ）と独立脚（３ｂ）の間から大きな魚が空間（４）内に入り込むことが防がれるので、ブラックバス等の大型魚に追いかけられた小魚やエビが小孔から空間（４）に逃げ込むことが可能となる。つまり、このような壁板（１２）を用いることで、壁状脚（３ａ）が無い部分にも壁状脚と同様の壁を現場にて形成することが可能となる。
【００５０】
以上説明した本発明に係るブロック及び設置構造は、護床工、床固工、三面張り床止め工、根固工、落差工、斜面被覆工等の幅広い用途に用いることができ、本発明によればこれらの施工において、ハビタットとなる空間を形成することができる。
図１８及び図１９はその一例を示しており、図１８は本発明に係るブロック（１）を斜面被覆工に用いた設置構造、図１９は本発明に係るブロック（１）を落差工に用いた設置構造を示している。
また、本発明に係るブロックを河床に飛び石状に配置した設置構造とすることもできる。
【００５１】
また、本発明に係るブロック及び設置構造は、河川だけでなく他の場所の水中や水辺に適用することも可能であり、具体的には、湖、沼、池、ダム、海岸等の緩い護岸に設置されるブロックとして、或いは海の魚礁ブロックとしての利用が可能である。
【産業上の利用可能性】
【００５２】
本発明は、河川、湖、沼、海、池等の水中の生態系復元を目的とし、護岸や床固め用等のブロックとして好適に用いることができる。
【図面の簡単な説明】
【００５３】
【図１】本発明に係る水中生態系復元ブロックの第一実施形態を示す図であって、（ａ）は表面斜視図、（ｂ）は裏面斜視図である。
【図２】本発明に係る水中生態系復元ブロックの第二実施形態を示す図であって、（ａ）は表面斜視図、（ｂ）は裏面斜視図である。
【図３】本発明に係る水中生態系復元ブロックの第三実施形態を示す図であって、（ａ）は表面斜視図、（ｂ）は裏面斜視図である。
【図４】第一実施形態のブロックを並べて設置した状態の一例を示す平面図である。
【図５】第二実施形態のブロックを並べて設置した状態の一例を示す平面図である。
【図６】第三実施形態のブロックを並べて設置した状態の一例を示す平面図である。
【図７】第三実施形態のブロックを並べて設置した状態の一例を示す平面図である。
【図８】第三実施形態のブロックを並べて設置した状態の一例を示す平面図である。
【図９】第一実施形態と第三実施形態のブロックを混在させて設置した状態の一例を示す平面図である。
【図１０】第一実施形態と第三実施形態のブロックを混在させて設置した状態の一例を示す平面図である。
【図１１】正立状態のブロックと倒立状態のブロックが並んで配置された河川の横断面を示している。
【図１２】プレキャストコンクリート板の上部にブロックを設置する様子を示す図である。
【図１３】並べられた複数のブロックの一部のブロックを他のブロックよりも嵩上げした設置構造を示している。
【図１４】隣り合うブロック同士を鉄筋を用いて連結する方法を示す図である。
【図１５】複数のブロックが、ブロック１個分の隙間を空けて独立脚同士が向かい合うように並べて配置されている設置構造を示す図である。
【図１６】本発明に係る設置構造の別の例を示す平面図である。
【図１７】ブロック同士の間に壁板を設置した例を示す図である。
【図１８】本発明に係るブロックを斜面被覆工に用いた設置構造を示す図である。
【図１９】本発明に係るブロックを落差工に用いた設置構造を示す図である。
【符号の説明】
【００５４】
１      ブロック
２      上板
３      脚
３ａ    壁状脚
３ｂ    独立脚
４      空間
５      壁状脚の貫通孔
６      上板の貫通孔
７      植石
１０    鉄筋
１１    現場打ちコンクリート
１２    壁板
１４    プレキャストコンクリート板
１５    独立脚の貫通孔
【図１】
2006037641.tif 000003
【図２】
2006037641.tif 000004
【図３】
2006037641.tif 000005
【図４】
2006037641.tif 000006
【図５】
2006037641.tif 000007
【図６】
2006037641.tif 000008
【図７】
2006037641.tif 000009
【図８】
2006037641.tif 000010
【図９】
2006037641.tif 000011
【図１０】
2006037641.tif 000012
【図１１】
2006037641.tif 000013
【図１２】
2006037641.tif 000014
【図１３】
2006037641.tif 000015
【図１４】
2006037641.tif 000016
【図１５】
2006037641.tif 000017
【図１６】
2006037641.tif 000018
【図１７】
2006037641.tif 000019
【図１８】
2006037641.tif 000020
【図１９】
2006037641.tif 000021